(57)【特許請求の範囲】
【請求項１】
配線ダクトに対して下方から取付け・取外しを行う電源ボックス装置に設けられた着脱装置において、
前記配線ダクトの長手方向を前後方向とし、前記配線ダクトの幅方向を左右方向としたときに、
突出状態で前記配線ダクトに係合して前記電源ボックス装置を前記配線ダクトに仮止めする退避可能な爪部材と、
前記爪部材を突出方向に付勢する付勢手段と、
上下方向の軸心を中心とした正回転により前記配線ダクトに対する前記電源ボックス装置の電気的な接続及び機械的な固定を行うとともに、逆回転により前記電気的な接続及び前記機械的な固定を解除するプラグと、
前記爪部材と前記プラグとの間に配設されて、前記プラグの前記逆回転に連動して前記爪部材を退避させて前記配線ダクトへの係合を解除する退避機構と、を備え、
前記退避機構は、
前後方向に沿って前進・後進可能なスライド部材と、
前記スライド部材と前記爪部材との間に設けられ、前記スライド部材の前進を前記爪部材の退避に変換するカム構造と、を有し、
前記プラグは、第１位置から第２位置への前記逆回転により前記電気的な接続及び前記機械的な固定を解除し、前記第２位置から第３位置への前記逆回転により、前記スライド部材を前進させて前記爪部材を退避し、仮止めの解除を行う、
ことを特徴とする着脱装置。
【請求項２】
前記プラグは、前記第２位置から前記第１位置への前記正回転により、前記配線ダクトと前記電源ボックス装置との前記電気な接続及び前記機械的な固定を行う、
ことを特徴とする請求項１に記載の着脱装置。
【請求項３】
前記カム構造は、
前記スライド部材と前記爪部材とのうちの一方に、前後方向に対して傾斜して形成されたカム面と、
前記スライド部材と前記爪部材とのうちの他方に形成されて前記カム面に係合される凸状のカムフォロアと、を有する、
ことを特徴とする請求項１又は２に記載の仮止め機構。
【発明の詳細な説明】
【技術分野】
【０００１】
本発明は、配線ダクトに対して下方から取付け・取外しを行う電源ボックス装置に設けられた着脱装置に関する。
【背景技術】
【０００２】
特許文献１には、配線ダクトに対して下方から取付け・取外しを行う電源ボックス装置が開示されている。
この電源ボックス装置は、長手方向の一方の端部に弾性変形可能な弾性係合部が配設され、また、他方の端部にはプラグ（ロック装置）が配設されている。【０００３】
電源ボックス装置の取付け時には、弾性係合部は、配線ダクトの一部に当接して退避し、一部を通過し終えると、復帰して配線ダクトに係合される。その後、プラグを正回転することにより、配線ダクトに対して電気的な接続及び固定が行なわれる。【０００４】
一方、取外し時には、プラグを逆回転することにより、電気的な接続及び固定が解除されて、まず、プラグ側の取外しが可能となる。そして、プラグ側を取り外した後、弾性係合部をその弾性力に抗して引き抜くことにより、全体を取り外しことができる。
【先行技術文献】
【特許文献】
【０００５】
【特許文献１】特開２００６−２４５１３号公報
【発明の概要】
【発明が解決しようとする課題】
【０００６】
しかしながら、上述の従来技術によると、電源ボックス装置の取外しに際し、プラグの逆回転と、弾性係合部側の引抜きといった、形態の異なる２つの動作を行わなければならないため、取り外し作業が煩雑になるといった問題があった。【０００７】
本発明は、上述した事情に鑑みてなされたものであり、１つの簡単な動作で、配線ダクトからの電源ボックス装置の取外しを可能とした着脱装置を提供することを目的とする。
【課題を解決するための手段】
【０００８】
上述の目的を達成するため、本発明は、配線ダクトに対して下方から取付け・取外しを行う電源ボックス装置に設けられた着脱装置において、前記配線ダクトの長手方向を前後方向とし、前記配線ダクトの幅方向を左右方向としたときに、突出状態で前記配線ダクトに係合して前記電源ボックス装置を前記配線ダクトに仮止めする退避可能な爪部材と、前記爪部材を突出方向に付勢する付勢手段と、上下方向の軸心を中心とした正回転により前記配線ダクトに対する前記電源ボックス装置の電気的な接続及び機械的な固定を行うとともに、逆回転により前記電気的な接続及び前記機械的な固定を解除するプラグと、前記爪部材と前記プラグとの間に配設されて、前記プラグの前記逆回転に連動して前記爪部材を退避させて前記配線ダクトへの係合を解除する退避機構と、を備え、前記退避機構は、前後方向に沿って前進・後進可能なスライド部材と、前記スライド部材と前記爪部材との間に設けられ、前記スライド部材の前進を前記爪部材の退避に変換するカム構造と、を有し、前記プラグは、第１位置から第２位置への前記逆回転により前記電気的な接続及び前記機械的な固定を解除し、前記第２位置から第３位置への前記逆回転により、前記スライド部材を前進させて前記爪部材を退避し、仮止めの解除を行う、ことを特徴とする。
【発明の効果】
【０００９】
本発明によれば、退避機構は、配線ダクトと電源ボックス装置との電気的な接続及び機械的な固定を解除するプラグの逆回転に連動して、爪部材を退避させては配線ダクトへの係合を解除することができる。これにより、電源ボックス装置は、配線ダクトに対する仮止めが解除されて、配線ダクトからの取外しが可能となる。つまり、プラグの逆回転により、電源ボックス装置の電気的な接続及び機械的な固定の解除と、仮止めの解除との双方が可能となる。
退避機構は、配線ダクトに対する電源ボックス装置の電気的な接続及び機械的な固定を行うプラグの逆回転に連動して、爪部材を退避させて配線ダクトへの係合を解除することができる。これにより、電源ボックス装置は、配線ダクトに対する仮止めが解除されて、配線ダクトからの取外しが可能となる。つまり、プラグの逆回転により、電源ボックス装置の電気的な接続及び機械的な固定の解除と、仮止めの解除との双方が可能となる。
プラグは、第２位置から第３位置への逆回転によって、爪部材を退避させて配線ダクトに対する係合を解除し、仮止めを解除する。すなわち、仮止めが解除されて、配線ダクトからの電源ボックス装置の取外しが可能となるのは、プラグが第１位置から第２位置に逆回転されて、電気的な接続が解除された後に限られるので、電気的に安全に、電源ボックス装置を取り外すことができる。
電源ボックス装置は、プラグが第２位置にあるときは、配線ダクトに取り付けても電気的な接続は行われないので、電気的に安全に配線ダクトに取り付けることができる。プラグは、電源ボックス装置の取付け後、第２位置から第１位置に正回転することにより、電気的な接続を確保することができる。
【図面の簡単な説明】
【００１０】
【図１】図１〜図１４は実施形態１の電源ボックス装置１を説明する図であり、このうち図１は電源ボックス装置１の斜視図である。
【図２】レバーカバー１３がロック解除位置Ｐ２に配置された状態の電源ボックス装置１の斜視図である。
【図３】電源ボックス装置１の分解斜視図である。
【図４】照明器具６が装着された状態で、配線ダクト５に取り付けられた電源ボックス装置１の斜視図である。
【図５】配線ダクト５に取り付けられた状態の電源ボックス装置１の背面図である。
【図６】プラグ３０の分解斜視図である。
【図７】操作レバー３１ｍが第１位置Ｒ１に配置された状態の、プラグ３０、スライド部材２３、爪部材２４、ガイド部材２５、及びボックス本体１１側の電極１２ｄの平面図である。
【図８】同じく、正面図である。
【図９】操作レバー３１ｍが第２位置Ｒ２に配置された状態の、プラグ３０、スライド部材２３、爪部材２４、ガイド部材２５、及びボックス本体１１側の電極１２ｄの平面図である。
【図１０】同じく、正面図である。
【図１１】操作レバー３１ｍが第３位置Ｒ３に配置された状態の、プラグ３０、スライド部材２３、爪部材２４、ガイド部材２５、及びボックス本体１１側の電極１２ｄの平面図である。
【図１２】同じく、正面図である。
【図１３】操作レバー３１ｍが第２位置Ｒ２に配置され、かつ爪部材２４が退避位置Ｔ２に配置された状態の、プラグ３０、スライド部材２３、爪部材２４、ガイド部材２５、及びボックス本体１１側の電極１２ｄの平面図である。
【図１４】同じく、正面図である。
【図１５】図１５、図１６は実施形態２の電源ボックス装置２を説明する図であり、このうち図１５は電源ボックス装置２の分解斜視図である。
【図１６】電源ボックス装置２の一部の分解斜視図である。
【図１７】図１７、図１８は実施形態３の電源ボックス装置３を説明する図であり、このうち図１７は電源ボックス装置３のプラグ８０の左側面図である。
【図１８】プラグ８０が係脱する配線ダクト７の正面図である。
【発明を実施するための形態】
【００１１】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図１４を参照して本発明を適用した実施形態１に係る電源ボックス装置１ついて説明する。
このうち、図１は、電源ボックス装置１の斜視図である。
【００１２】
また、図２は、レバーカバー１３がロック解除位置Ｐ２に配置された状態の電源ボックス装置１の斜視図である。ただし、図２では、前側のガイド部材２５は、取り外している。
【００１３】
また、図３は、電源ボックス装置１の分解斜視図である。ただし、スライド部材２３、４個の爪部材２４のうちの後ろ側の２個、及び２個のガイド部材２５のうちの後ろ側の１個は、透視図で図示している。
また、図４は、照明器具６が装着された状態で、配線ダクト５に取り付けられた電源ボックス装置１の斜視図である。
また、図５は、配線ダクト５に取り付けられた状態の電源ボックス装置１の背面図である。
【００１４】
なお、以下の説明では、図１中、図３〜図８中に矢印で示す「前後左右上下」が、電源ボックス装置１や配線ダクト５の「前後左右上下」に対応するものとして説明する。また、電源ボックス装置１を構成する後述の各部材は、電源ボックス装置１やその構成部材が図１、図３、図６〜図８に示す状態にある場合に、それぞれホームポジションＨＰに配置されているものとする。また、プラグ３０の位置とは、後述する操作レバー３１ｍの位置であるものとして説明する。
【００１５】
まず、電源ボックス装置１の取付け・取外し先となる配線ダクト５は、図４、図５に示すように、一方向に長く延びる部材であり、例えば、天井面（不図示）に敷設されている。図５に示すように、配線ダクト５の幅（左右方向の寸法）をＷ１とすると、配線ダクト５の左右方向の中央には、これよりも幅Ｗ２が小さいダクト溝５ａが下方に向かって開口している。ダクト溝５ａの上側における左右両側には、それぞれ配線溝５ｂが内側を向いて開口している。これら配線溝５ｂには、導電板（不図示）が前後方向に配設されている。なお、これら導電板には、後述するプラグ３０の電極３４が接離する。また、ダクト溝５ａの下側における左右両側には、一対のレール部５ｃが形成されている。このレール部５ｃには、後述する突出位置Ｔ１に配置された爪部材２４の平面状の摺動面２４ｃが上方から載るように係合されている。
次に、電源ボックス装置１について説明する。
電源ボックス装置１は、図１〜図３に示すように、電源ボックス１０、仮止め機構２０、及びプラグ３０を備えている。
このうち電源ボックス１０は、ボックス本体１１の開口部１１ａを、蓋部材１４によって閉蓋することで構成されている。
【００１６】
ボックス本体１１は、前後方向に長い直方体状に形成されていて、上方に向かって開口する開口部１１ａを有している。ボックス本体１１は、その大部分を占める前側のハウジング１２とその後部に昇降自在に支持されたレバーカバー１３とによって構成されている。
【００１７】
ハウジング１２は、図３に示すように、後端に、平面視形状（上側から見た形状）が半円形の壁面１２ａを有しており、壁面１２ａの左右の前端近傍には、それぞれ上下方向に延びるガイド溝１２ｂが形成されている。これら２個のガイド溝１２ｂの間には、上下方向の軸心Ｃ１を中心とする透孔１２ｃが形成されている。この軸心Ｃ１は、後述するプラグ３０の回転中心となっている。透孔１２ｃの左右両側には、相互に対向する一対の電極１２ｄが配設されている。ハウジング１２の内側には、照明器具６の電源（不図示）が収納される収納空間１２ｅが確保されている。
【００１８】
一方、レバーカバー１３は、ハウジング１２側のガイド溝１２ｂに係合する係合凸部１３ａを有していて、図１、図３に示すロック位置Ｐ１と、図２に示すロック解除位置Ｐ２との間で昇降可能である。レバーカバー１３の後端部の左側には、レバー収納部１３ｂが形成されている。レバー収納部１３ｂは、平面視形状がホームベース形状で、下方に向かって窪むように形成されている。レバーカバー１３は、ロック解除位置Ｐ２において、操作レバー３１ｍの回転を許容し、ロック位置Ｐ１において、第１位置Ｒ１（通電・固定位置）にある操作レバー３１ｍを被覆して回転を禁止するようになっている。
以上説明したボックス本体１１は、開口部１１ａが、蓋部材１４によって閉蓋されている。
【００１９】
蓋部材１４は、ほぼ長方形の板状に形成されている。蓋部材１４の後部には、軸心Ｃ１を中心とする透孔１４ａが形成されていて、この透孔１４ａの周囲には、環状の摺動面１４ｂが設けられている。摺動面１４ｂの前側には、摺動面１４ｂよりも少し高い位置に、前後方向に長い板状の凹部１４ｃが形成されている。凹部１４ｃの左端と右端とには、それぞれ２箇所ずつ、嵌合部１４ｄが形成されている。これら嵌合部１４ｄは、蓋部材１４を表裏方向（上下方向）に貫通していて、後述するガイド部材２５の脚部２５ａが上方から嵌合されている。
以上説明したように、ボックス本体１１の開口部１１ａを、蓋部材１４で閉蓋することによって、電源ボックス１０が構成されている。
【００２０】
次に、仮止め機構２０は、図１、図２に示すように、蓋部材１４の上面に組み込まれている。仮止め機構２０は、図３に示すように、下側からほぼ順に、スライドベース２１、圧縮ばね（ばね部材、付勢手段）２２、スライド部材２３、４個の爪部材２４、及び２個のガイド部材２５が重なるように組み合わされている。
【００２１】
このうち、スライドベース２１は、前後方向に長い板状に形成されている。スライドベース２１の左側面と右端面との前側と後側とには、合計４個の凸部２１ａが設けられている。スライドベース２１の前後方向及び左右方向の中心には、前後方向に長いばね収納部２１ｂが形成されている。ばね収納部２１ｂは、スライドベース２１を上下方向に貫通していて、前壁面２１ｃと後壁面２１ｄとを有している。スライドベース２１は、後述するガイド部材２５によって、蓋部材１４の凹部１４ｃに固定されている。つまり、スライドベース２１は、蓋部材１４に対して不動である。
【００２２】
圧縮ばね２２は、スライドベース２１のばね収納部２１ｂに収納されている。圧縮ばね２２は、その前端をばね収納部２１ｂの前壁面２１ｃに当接させている。圧縮ばね２２の後端と後壁面２１ｄとの間に、次に説明するスライド部材２３の突起部２３ｅが挿入されている。ばね部材２２は、この突起部２３ｅを介して、スライド部材２３全体を後方に付勢している。
【００２３】
スライド部材２３は、前後方向に長い板状のカム部２３ａと、その後端に連続する後下がりの傾斜部２３ｂと、傾斜部２３ｂの下端に連続する円弧部２３ｃとが一体に形成されている。
【００２４】
カム部２３ａは、傾斜部２３ｂに近い後端側から前端側にかけて、第１〜第４の４個のカム溝（カム面）２３ｄが上下方向に貫通している。このうち第１，第３のカム溝２３ｄは、後端が右に、前端が左に位置するように傾斜している。一方、第２，第４のカム溝２３ｄは、逆に、後端が左に、前端が右に位置するように傾斜している。これらのカム溝２３ｄには、後述する爪部材２４の突起部２４ｂが上方から係合されている。カム部２３ａの裏面における前後方向及び左右方向の中央には、直方体状の突起部２３ｅが下方に向けて突設されている。この突起部２３ｅは、上述のように、スライドベース２１のばね収納部２１ｂにおける、圧縮ばね２２の後端と後壁面２１ｄとの間に挿入されて、圧縮ばね２２によって後方に付勢されている。これにより、スライド部材２３全体が後方に付勢されている。
【００２５】
ここで、スライド部材２３は、圧縮ばね２２によって付勢された突起部２３ｅが、後壁面２１ｄに当接する前に、円弧部２３ｃがプラグ３０の小径の半円部３１ｉに軽く当接するようになっている。なお、このときのスライド部材２３の位置をホームポジションＨＰとする。
【００２６】
スライド部材２３全体は、後述する爪部材２４及びガイド部材２５によって、上下方向の移動が禁止され、また、ガイド部材２５によって左右方向の移動が禁止されているため、前後方向のスライド移動（前進・後進）のみが許容されている。
傾斜部２３ｂには、左側面に、係合凹部２３ｆが形成されている。この係合凹部２３ｆには、後述するプラグ３０の係合凸部３１ｋが係合されている。
【００２７】
円弧部２３ｃは、ほぼ１／４の環状に形成されている。円弧部２３ｃの内周面２３ｇは、後述のプラグ３０の半円部３１ｉの外周面と同形になっている。円弧部２３ｃの後端は、当接面２３ｈとなっていて、後述するプラグ３０の突起部３１ｎが接離される。
【００２８】
上述のカム部２３ａ、傾斜部２３ｂ、及び円弧部２３ｃを有するスライド部材２３全体は、付勢力をもって（付勢状態で）プラグ３０に当接されている。すなわち、スライド部材２３は、圧縮ばね２２によって付勢された突起部２３ｅが、ばね収納部２１ｂの後壁面２１ｄに当接する前に、円弧部２３ｃの内周面２３ｇをプラグ３０の半円部３１ｉに当接させて停止している。なお、このときのスライド部材２３の位置をホームポジションＨＰとする。
【００２９】
爪部材２４は、直方体状（板状）に形成されていて、外側を向いた先端部の表面側には、先端に向かって下がり勾配となる傾斜面２４ａが形成されている。また、先端部の裏面側には、平面状の摺動面２４ｃが形成されている。また、爪部材２４の裏面側のほぼ中央には、円柱状の突起部（カムフォロア）２４ｂが下方に向かって突設されている。本実施形態では、後側から前側にかけて第１〜第４の４個の爪部材２４が、この順にスライド部材２３側の第１〜第４のカム溝２３ｄに、それぞれの突起部２４ｂを係合させて配設されている。このとき、第１、第３の爪部材２４は、先端部の傾斜面２４ａを左に向けた姿勢で、また、第２，第４の爪部材２４は、先端部の傾斜面２４ａを右に向けた姿勢で配設されている。
【００３０】
また、４個の第１〜第４の爪部材２４の、前後方向の配置について、第１、第２の爪部材２４の間隔、及び第３、第４の爪部材２４の間隔が比較的狭いのに対し、第２、第３の爪部材２４の間隔は比較的広くとっている。これにより、４個の爪部材２４を配線ダクト５に係合させた仮止め状態において、電源ボックス装置１の姿勢を安定させることができる。さらに、電源ボックス装置１に照明器具６を装着した状態において、全体の重心が、第２、第３の爪部材２４の間に位置するようにすれば、仮止め状態の電源ボックス１及び照明器具６の姿勢をより一層安定させることができる。なお、爪部材２４の個数は、４個に限定されるものではない。
【００３１】
２個のガイド部材２５は、スライドベース２１、スライド部材２３、爪部材２４を上方から覆うようにして蓋部材１４に取り付けられている。ガイド部材２５は、正面視形状（前側から見た形状）がほぼ下方に開口した「コ」字形に形成されている。ガイド部材２５の左側壁の前部下端及び右側壁の後部下端には、脚部２５ａが形成されている。また、ガイド部材２５は、前端側に、左方に向かって開口する窓部２５ｂ及びこの窓部２５ｂから右方に延びるガイド部２５ｃが形成されている。一方、ガイド部材２５の後端側には、右方に向かって開口する窓部２５ｄ及びこの窓部２５ｄから左方に延びるガイド部２５ｅが形成されている。また、左側壁及び右側壁の前後方向の中央の下端には、切欠部２５ｆが形成されている。さらに、ガイド部材２５の内面には、スライド部材２３の前後方向の移動をガイドするガイド部２５ｇが形成されている。ここで、図３に示すガイド部材２５の幅（左右方向の寸法）をＷ３とすると、この幅Ｗ３は、図５に示す配線ダクト５のダクト溝５ａの幅Ｗ２との間に、
Ｗ３＜Ｗ２
が成り立つように設定されている。これにより、電源ボックス装置１は、ガイド部材２５をダクト溝５ａに挿入して、後述する仮止めを行うことが可能となる。
【００３２】
ガイド部材２５は、各脚部２５ａを蓋部材１４の嵌合部１４ｄに上方から嵌合させている。これにより、ガイド部材２５は、切欠部２５ｆをスライドベース２１の凸部２１ａに係合させて、スライドベース２１を蓋部材１４の凹部１４ｃに位置決め固定している。また、ガイド部材２５は、ガイド部２５ｇによって、スライドベース２１に対するスライド部材２３の前後方向のスライド移動をガイドする。さらに、ガイド部材２５は、爪部材の左右方向の移動をガイドする。
【００３３】
なお、上述のスライド部材２３のカム溝２３ｄと、これに係合される爪部材２４の突起部２４ｂとによって、スライド部材２３の前進・後進を爪部材２４の退避・突出に変換するカム構造Ａを構成している。また、スライド部材２３、及びカム構造Ａによって、爪部材２４を突出位置Ｔ１から退避位置Ｔ２に退避させる退避機構Ｂを構成している。
次に、プラグ３０について説明する。
図６は、プラグ３０の分解斜視図である。
【００３４】
また、図７は、操作レバー３１ｍが第１位置Ｒ１に配置された状態の、プラグ３０、スライド部材２３、爪部材２４、ガイド部材２５、及びボックス本体１１側の電極１２ｄの平面図である。なお、他の部材は図示を省略している。
また、図８は、同じく、正面図である。
【００３５】
プラグ３０は、図３、図６、図７に示すように、上ストッパ３１、下ストッパ３２、シャフト３３、及び２個の電極３４を有しており、これらの部材が、軸心Ｃ１を貫通するビス３５及びナット３６によって一体的に組み立てられている。
上ストッパ３１には、円筒部３１ａ、一対の係合片３１ｂ、及び鍔部３１ｃが形成されている。
【００３６】
このうち、円筒部３１ａは、外周面３１ｄが円柱状に形成されており、中心には、平面視形状がほぼ正方形の透孔３１ｅが上下方向に貫通している。円筒部３１ａの上端における右側及び左側には、電極３４の屈曲部（羽根部）３４ａが係合される切欠部３１ｆが形成されている。円筒部３１ａの直径（外径）Ｄ１は、上述のガイド部材２５の幅Ｗ３とほぼ同じで、配線ダクト５（図５参照）のダクト溝５ａの幅Ｗ２よりも少し小さく設定されている。
【００３７】
係合片３１ｂは、円筒部３１ａの外周面３１ｄから左方及び右方に突出されている。係合片３１ｂの平面視形状は、ほぼ等脚台形状に形成されている。つまり、先細りのテーパ状に形成されている。係合片３１ｂの前後方向の寸法は、先端部３１ｇから漸増して基端部３１ｈで最大となるが、基端部３１ｈにおいても円筒部３１ａの直径Ｄ１を超えることはない。これにより、図９、図１１を参照して後述するように、操作レバー３１ｍが第２位置Ｒ２（通電・固定解除位置）と第３位置Ｒ３（仮止め解除位置）との間にある場合に、プラグ３０の係合片３１ｂ及び電極３４の屈曲部３４ａが、配線ダクト５のダクト溝５ａを通過することができる。つまり、通過を可能とする操作レバー３１ｍの位置が、ピンポイントではなく、適宜な幅を持つことになる。このように幅を持つことにより、仮止めを解除すべくスライド部材２３を前方に移動させるための操作レバー３１ｍの回転角度を確保することが可能となる。
【００３８】
鍔部３１ｃは、ほぼ右半分の小径の半円部３１ｉとほぼ左半分の大径の半円部３１ｊとを有している。半円部３１ｉは、曲率半径が、上述のスライド部材２３の円弧部２３ｃの内周面２３ｇの曲率半径と同じに形成されていて、この内周面２３ｇが軽い当接圧をもって当接されている。一方、半円部３１ｊには、前端側に係合凸部３１ｋが周方向に向かって突設されていて、上述のスライド部材２３の係合凹部２３ｆに係合されている。これより、スライド部材２３の前進を禁止している。また、半円部３１ｊの前端側の左側及び右側には、それぞれ操作レバー３１ｍ、突起部３１ｎが突設されている。操作レバー３１ｍは、半円部３１ｊから放射方向に突出し、さらに下方に延びるように形成されている。操作レバー３１ｍは、第１位置Ｒ１に配置され、ロック位置Ｐ１に配置されたレバーカバー１３によって覆われている。なお、プラグ３０から操作レバー３１ｍを除いた全体をプラグ本体とすると、操作レバー３１ｍは、プラグ本体から放射方向に突出し、さらに下方に延びるように形成されているといえる。
【００３９】
上ストッパ３１は、円筒部３１ａにおける鍔部３１ｃの下方に位置する部分３１ｐ（図８参照）が図３に示す蓋部材１４の透孔１４ａに挿入されて、鍔部３１ｃの裏面が蓋部材１４の摺動面１４ｂ上に載っている。
下ストッパ３２には、フランジ部３２ａ、四角柱部３２ｂ、及びボス部３２ｃが形成されている。
【００４０】
フランジ部３２ａの中央には、ほぼ正方形状の段部３２ｄが形成されている。この段部３２ｄは、上ストッパ３１の透孔３１ｅが嵌合されている。また、フランジ部３２ａ及び四角柱部３２ｂの左側及び右側には、切欠部３２ｅが形成されている。切欠部３２ｅには、電極３４の下端の突起３４ｃが配置されている。ボス部３２ｃは、図３に示すボックス本体１１の透孔１２ｃに挿入されている。
【００４１】
シャフト３３は、上から順に、頭部３３ａ、四角柱部３３ｂ、及びボス部３３ｃを有している。頭部３３ａの凹部３３ｄには、ナット３６が配設されている。頭部３３ａは、その下端と上述の上ストッパ３１の切欠部３１ｆとの間で、電極３４の屈曲部３４ａ近傍を挟み込んでいる。四角柱部３３ｂは、電極３４が配設される面が上側ほど内側に傾斜していて、電極３４の裏面側との間に隙間を形成している。ボス部３３ｃは、下ストッパ３２の段部３２ｄの中心の透孔３２ｆに挿入されている。
【００４２】
電極３４は、上端に外側に屈曲された屈曲部３４ａを有し、中間部３４ｂが下方に延び、下端に突起３４ｃを有している。電極３４は、中間部３４ｂが上ストッパ３１の透孔３１ｅとシャフト３３の四角柱部３３ｂとの間に挟まれて配設されている。これにより、図３に示すように、屈曲部３４ａが上述の係合片３１ｂと同じく左右方向の外側に向けて突出し、突起３４ｃが左右方向に向けて露出されている。
上述のプラグ３０全体は、蓋部材１４により、軸心Ｃ１と中心として、正回転・逆回転可能に支持されている。
なお、上述の仮止め機構２０とプラグ３０とによって着脱装置Ｃが構成されている。
次に、上述構成の電源ボックス装置１の動作について説明する。
【００４３】
ここで、図９は、操作レバー３１ｍが第２位置Ｒ２に配置された状態の、プラグ３０、スライド部材２３、爪部材２４、ガイド部材２５、及びボックス本体１１側の電極１２ｄの平面図である。図１０は、同じく、正面図である。
【００４４】
また、図１１は、操作レバー３１ｍが第３位置Ｒ３に配置された状態の、プラグ３０、スライド部材２３、爪部材２４、ガイド部材２５、及びボックス本体１１側の電極１２ｄの平面図である。図１２は、同じく、正面図である。
【００４５】
また、図１３は、操作レバー３１ｍが第２位置Ｒ２に配置され、かつ爪部材２４が退避位置Ｔ２に配置された状態の、プラグ３０、スライド部材２３、爪部材２４、ガイド部材２５、及びボックス本体１１側の電極１２ｄの平面図である。図１４は、同じく、正面図である。
まず、作業者が電源ボックス装置１を配線ダクト５から取り外す場合について説明する。
【００４６】
電源ボックス装置１は、配線ダクト５に取り付けられ、電気的な接続及び機械的な固定がなされた状態においては、各部材は、図１、図７、図８に示すホームポジションＨＰに配置されている。
このとき、操作レバー３１ｍは、第１位置Ｒ１に配置されて、ロック位置Ｐ１に配置されたレバーカバー１３によって覆われている。
【００４７】
この操作レバー３１ｍの第１位置Ｒ１に対応して、電極３４の屈曲部３４ａ及び係合片３１ｂは、ほぼ左右方向を向いている。この状態では、電極３４は、屈曲部３４ａが配線溝５ｂ内の導電板（不図示）に接触し、配線ダクト５と電源ボックス装置１とを電気的に接続する。また、係合片３１ｂは、図５に二点鎖線で示すように、左右方向を向いて、鍔部３１ｃとの間に、配線ダクト５のレール部５ｃを上下から挟み込む。これにより、電源ボックス装置１全体が、配線ダクト５に対して移動不能に固定される。
【００４８】
また、スライド部材２３は、ホームポジションＨＰに配置され、爪部材２４は突出位置Ｔ１に配置される。突出された爪部材２４は、配線ダクト５に係合して、仮止め状態を維持している。
つづいて、レバーカバー１３をロック解除位置Ｐ２に移動し、操作レバー３１ｍを逆回転させて、図９、図１０に示す第２位置Ｒ２に移動する。
【００４９】
この操作レバー３１ｍの第２位置Ｒ２に対応して、電極３４は、屈曲部３４ａがほぼ前後方向を向いて導電板から離れ、配線ダクト５と電源ボックス装置１との電気的な接続を解除する。また、係合片３１ｂは、ほぼ前後方向を向いて、配線ダクト５に対する電源ボックス装置１の機械的な固定を解除する。
【００５０】
また、スライド部材２３は、プラグ３０の突起部３１ｎが接触するに留まるため、引き続きホームポジションＨＰを維持し、爪部材２４は、引き続き、突出位置Ｔ１を維持して仮止め状態を維持する。
【００５１】
このとき、プラグ３０は、配線ダクト５から取り外れる状態にあるが、上述のように爪部材２４によって仮止め状態が維持されるため、電源ボックス装置１は、脱落するおそれはない。
つづいて、操作レバー３１ｍを逆回転させて、図１１、図１２に示す第３位置Ｒ３に移動する。
【００５２】
この操作レバー３１ｍの第３位置Ｒ３に対応して、電極３４の屈曲部３４ａ及び係合片３１ｂは、上述の操作レバー３１ｍが第２位置Ｒ２にある場合とほぼ同様に前後方向を向く。すなわち、電気的な接続及び機械的な固定の解除状態は維持される。
【００５３】
また、スライド部材２３は、プラグ３０の突起部３１ｎに押されて前進する。これにより、爪部材２４は、先端部をガイド部材２５内に引っ込めて退避位置Ｔ２に配置され、仮止め状態が解除される。
電源ボックス装置１は、この操作レバー３１ｍが第３位置Ｒ３位置に配置された場合には、配線ダクト５から取り外すことができる。
次に、電源ボックス装置１を配線ダクト５に取り付ける場合について説明する。
【００５４】
配線ダクト５から取り外された電源ボックス装置１において、操作レバー３１ｍから手を放すと、操作レバー３１ｍは、圧縮ばね２２によって後進し、爪部材２４は、突出位置Ｔ１に配置される。また、操作レバー３１ｍの後進により、突起部３１ｎが正回転し、操作レバー３１ｍは、図９に示す第２位置Ｒ２に移動する。
【００５５】
電源ボックス装置１は、図９、図１０に示す、操作レバー３１ｍが第２位置Ｒ２に配置され、爪部材２４が突出位置Ｔ１に配置された状態で、配線ダクト５に取り付けられることになる。
【００５６】
電源ボックス装置１を、例えば、作業者が片手で持って持ち上げて、プラグ３０側の電極３４の屈曲部３４ａ、係合片３１ｂ、及びガイド部材２５を配線ダクト５のダクト溝５ａに挿入する。この際、電極３４の屈曲部３４ａ及び係合片３１ｂは、ほぼ前後方向を向き、また、爪部材２４は、傾斜面２４ａが配線ダクト５の一部に当接することで、図１３に示す退避位置Ｔ２に退避されるため、挿入が可能である。挿入後には、爪部材２４が突出位置Ｔ１に復帰して配線ダクト５に係合し、仮止め状態となる。
【００５７】
この仮止め状態では、爪部材２４は、積極的に退避動作を行わない限り、退避位置Ｔ２に退避することはない。また、爪部材２４の先端側裏面の摺動面２４ｃが、配線ダクト５側のレール部５ｃに上方から載っている。このため、仮止め状態の電源ボックス装置１は、作業者が自重を支持する必要がなく、容易に配線ダクト５に沿って移動させて位置決めすることができる。
【００５８】
位置決め後、操作レバー３１ｍを第２位置Ｒ２から第１位置Ｒ１に正回転させると、電極３４の屈曲部３４ａ及び係合片３１ｂが左右方向を向き、配線ダクト５に対する電源ボックス装置１の電気的な接続及び機械的な固定を行うことができる。
ここで、上述のような構成及び作用の電源ボックス装置１の作用・効果をまとめる。
【００５９】
・電源ボックス装置１は、例えば、作業者が片手で電源ボックス装置１を持ち上げて、ガイド部材２５を配線ダクト５のダクト溝５ａに挿入するといった簡単な動作で、一旦退避した爪部材２４が突出して配線ダクト５に係合することができる。この仮止め状態においては、爪部材２４は、変形することなく電源ボックス装置１の自重を支えることができるので、手を放しても電源ボックス装置１が落下するおそれはない。このため、電源ボックス装置１を、片手で簡単に配線ダクト５に沿って移動させて位置決めすることができる。なお、電源ボックス装置１にあらかじめ照明器具６が装着されている場合も同様である。
・爪部材２４の先端部に下がり勾配の傾斜面２４ａを設けるといった簡単な構成で、爪部材２４を退避させることが可能となる。
【００６０】
・爪部材２４は、圧縮ばね（ばね部材、付勢手段）２２の付勢力に抗してスライド部材２３を前進させることにより、カム構造Ａを介して退避させることができる。これにより、配線ダクト５に対する爪部材２４の係合を解除することができる。つまり、配線ダクト５に対する電源ボックス装置１の仮止めを解除することができる。
【００６１】
・左右方向に移動可能な爪部材２４は、スライド部材２３側の傾斜したカム溝（カム面）２３ｄに凸状の突起部（カムフォロア）２４ｂを係合させているので、スライド部材２３の前進・後進に対応して、退避・突出することができる。
【００６２】
・爪部材２４は、配線ダクト５側のレール部５ｃ上を摺動する平面状の摺動面２４ｃを有するので、配線ダクト５に沿って電源ボックス装置１を容易に移動させることができる。
【００６３】
・退避機構Ｂは、配線ダクト５に対する電源ボックス装置１の電気的な接続及び機械的な固定を行うプラグ３０の逆回転に連動して、爪部材２４を退避させて配線ダクト５への係合を解除することができる。これにより、電源ボックス装置１は、配線ダクト５に対する仮止めが解除されて、配線ダクト５からの取外しが可能となる。つまり、プラグ３０の逆回転により、電源ボックス装置１の電気的な接続及び機械的な固定の解除と、仮止めの解除との双方が可能となる。
【００６４】
・プラグ３０は、第２位置Ｒ２から第３位置Ｒ３への逆回転によって、爪部材２４を退避させて配線ダクト５に対する係合を解除し、仮止めを解除する。すなわち、仮止めが解除されて、配線ダクト５からの電源ボックス装置１の取外しが可能となるのは、プラグ３０が第１位置Ｒ１から第２位置Ｒ２に逆回転されて、電気的な接続が解除された後に限られるので、電気的に安全に、電源ボックス装置１を取り外すことができる。
【００６５】
・電源ボックス装置１は、プラグが第２位置Ｒ２にあるときは、配線ダクト５に取り付けても電気的な接続は行われないので、電気的に安全に配線ダクト５に取り付けることができる。プラグ３０は、電源ボックス装置１の取付け後、第２位置Ｒ２から第１位置Ｒ１に正回転することにより、電気的な接続を確保することができる。
【００６６】
・レバーカバー１３は、ロック位置Ｐ１に配置された際に、所定位置の操作レバー３１ｍを覆うので、外部から操作レバー３１ｍが見えないようにして、デザイン的な向上を図るとともに、操作レバー３１ｍの不要な操作（誤操作）を禁止することができる。
【００６７】
・操作レバー３１ｍは、所定位置が、配線ダクト５と電源ボックス装置１との電気的な接続及び機械的な固定を行う第１位置Ｒ１に設定されている。これにより、レバーカバー１３は、ロック位置Ｐ１において、第１位置Ｒ１に配置された操作レバー３１ｍを覆って回転を禁止する。つまり、配線ダクト５と電源ボックス装置１との電気的な接続の解除や機械的な固定の解除を防止することができる。
【００６８】
・レバーカバー１３をロック位置Ｐ１に上昇できたことにより、配線ダクト５と電源ボックス装置１との電気的な接続及び機械的な固定が確実に行われていることを確認することができる。
【００６９】
・上述の電源ボックス装置１によれば、配線ダクト５に対して電源ボックス装置１を取付け・取外しするための仮止め機構２０及びプラグ３０が、いずれも蓋部材１４に組み込まれている。このため、例えば、構成や寸法が異なる種々の配線ダクト５に対して、電源ボックス１０側は設計変更することなく、仮止め機構２０及びプラグ３０を含む蓋部材１４側の設計変更等によって対処することができる。
【００７０】
・以上の電源ボックス装置１では、爪部材２４は、圧縮ばね２２により、スライド部材２３を介して、突出方向に付勢されている。そして、突出位置Ｔ１に配置された状態においては、爪部材２４には、付勢力は作用していない。しかし、爪部材２４は、突出位置Ｔ１から退避位置Ｔ２に向けて少しでも移動すると、直ちに、突出位置Ｔ１に向けて付勢力が作用するようになっている。なお、これに代えて、例えば、爪部材２４を突出位置Ｔ１に位置決めするストッパ（不図示）を設け、圧縮ばね２２により、スライド部材２３をかいして爪部材２４をストッパに押圧させるようにしてもよい。この場合には、爪部材２４は突出方向に向かう付勢力が作用した付勢状態で突出位置Ｔ１に配置されていることになる。本発明は、上述の、突出位置Ｔ１に配置された爪部材２４に、付勢力が作用しない場合、また、作用する場合の双方を含むものである。
＜実施形態２＞
図１５、図１６を参照して、本発明を適用した実施形態２に係る電源ボックス装置２について説明する。
図１５は、電源ボックス装置２の斜視図である。
また、図１６は、電源ボックス装置２の一部の分解斜視図である。
【００７１】
なお、以下の説明では、図１５中、図１６中に矢印で示す「前後左右上下」が、電源ボックス装置２や配線ダクト５の「前後左右上下」に対応するものとして説明する。
電源ボックス装置２は、電源ボックス５０、仮止め機構６０、及びプラグ７０を備えている。
このうち電源ボックス５０は、上部に開口部５１ａが形成されたボックス本体５１と、この開口部５１ａを閉蓋する蓋部材５２とを有している。
【００７２】
蓋部材５２には、後端部に、プラグ７０を回転可能に支持する透孔５２ａが形成され、また、透孔５２ａの少し前から前端まで延びるカバー部５２ｂが形成されている。カバー部５２ｂは、前後方向に長い直方体状に形成されていて、上方に向かって突設され、また、内側は下方に向かって開口している。カバー部５２ｂは、仮止め機構６０を上方から覆っている。
【００７３】
カバー部５２ｂの左側壁５２ｃと右側壁５２ｄには、それぞれ２個ずつの窓部５２ｅが形成されている（ただし右側壁５２ｄの窓部５２ｅは、不図示）。なお、左側壁５２ｃの２個の窓部５２ｅは、右側壁５２ｄの２個の窓部５２ｅよりも、少し前側に形成されている。各窓部５２ｅには、前後方向に対向する一対の軸受部５２ｆが設けられている。この軸受部５２ｆには、後述する軸部材６２が貫通されている。
【００７４】
ボックス本体５１の後端の左側には、操作レバー５３が配設されている。操作レバー５３は、平面視形状が「Ｌ」字形の板状に形成されている。操作レバー５３の右端側には、上下の２箇所に、小孔５３ａが形成されている。これら小孔５３ａは、ボックス本体５１側の上下方向の軸部５１ｂに係合されている。操作レバー５３の後端側の右端には、歯車部５３ｂが形成されている。操作レバー５３全体は、軸部５１ｂによって回転（揺動）可能に支持されていて、図示の閉鎖位置Ｒ４と、この閉鎖位置Ｒ４からほぼ９０度時計回りに回転した開放位置との間を移動する。
【００７５】
仮止め機構６０は、スライド部材６１、４本の軸部材６２、４個の爪部材６３、４個の第１圧縮ばね（ばね部材、付勢手段）６４、第２圧縮ばね（ばね部材）６５、及び仮止め解除ボタン６６を有している。なお、第１圧縮ばね６４及び第２圧縮ばね６５は、矢印で図示している。
【００７６】
このうち、スライド部材６１は、ほぼ前後方向に長い板状に形成されていて、後端側には下方に屈曲した当接部６１ａを有している。スライド部材６１には、後端部、中間部、及び前端部にそれぞれ１個ずつ、合計３個のガイド溝６１ｂが前後方向に長い長孔状に形成されている。これらのガイド溝６１ｂには、ボルト６１ｃが貫通している。ボルト６１ｃは、ガイド溝６１ｂの溝幅よりも直径が大きい頭部（不図示）を有していて、この頭部をスライド部材６１の裏面に当接させてガイド溝６１ｂを下方から貫通し、先端（上端）を蓋部材５２に螺合させている。これにより、スライド部材６１全体は、蓋部材５２により、ボルト６１ｃを介して前後方向に移動可能に支持される。
【００７７】
スライド部材６１の表面における左端側と右端側とには、それぞれ２個ずつ合計４個の前後方向に長い凹部６１ｄが形成されている。図１６に示すように、凹部６１ｄには、内側に窪んだ切欠部６１ｅが設けてあり、この切欠部６１ｅには、ほぼ前後方向に延びるストッパ面６１ｆとこの後端から外側に傾斜したカム面６１ｇが形成されている。
【００７８】
軸部材６２は、上述のスライド部材６１の切欠部６１ｅに前後方向を向けて固定されている。この軸部材６２は、上述の蓋部材５２の窓部５２ｅの軸受部５２ｆを前後方向に遊嵌している。
【００７９】
爪部材６３は、スライド部材６１の幅方向の中心を基準線Ｃ２とし、これに近い側を内側、また遠い側を外側としたときに、上部に外側を向いたフック部６３ａを有し、下部の内側に前後方向を向いた円筒部６３ｂを有し、下部の外側に下方を向いた突起部６３ｃを有している。この突起部６３ｃと上述のカム面６１ｇとによってカム構造Ｄを構成している。
【００８０】
フック部６３ａは、上面に外側ほど下方に位置する下り勾配の傾斜面６３ｄが形成され、また、下面に配線ダクト５のレール部５ｃ（図５参照）に係脱する摺動面６３ｅが形成されている。
【００８１】
円筒部６３ｂには、上述の軸部材６２が前後方向に遊嵌されている。このため、爪部材６３は、固定状態の軸部材６２に対し、外側の突出位置Ｔ１と内側の退避位置（不図示）との間を揺動可能であり、かつ前後方向の相対移動可能である。なお、爪部材６３は、突出位置Ｔ１と退避位置との間の揺動角度が小さいので、フック部６３ａは、ほぼ左右方向に移動するといえる。
【００８２】
突起部６３ｃは、スライド部材６１が図１５、図１６に示すホームポジションＨＰに位置しているときは、ストッパ面６１ｆに当接した状態で停止し、このとき爪部材６３は、フック部６３ａが上方に位置した起立姿勢となる。
【００８３】
第１圧縮ばね６４は、各爪部材６３の背面側（内側）に配設されている。図１６に示す例では、第１圧縮ばね６４は、先端部を爪部材６３のフック部６３ａの裏面側に当接させ、一方、基端部を、図１５に示す蓋部材５２のカバー部５２ｂにおける右側壁５２ｄの内面に当接させている。爪部材６３は、この第１圧縮ばね６４によって外側に付勢され、突起部６３ｃをストッパ面に６１ｆに当接させて停止して直立姿勢を取るようになっている。
爪部材６３は、蓋部材５２の窓部５２ｅによって前後方向の移動を規制（禁止）された状態で、窓部５２ｅからフック部６３ａを突出させ、また退避させる。
【００８４】
第２圧縮ばね６５は、スライド部材６１の前端に配設されている。圧縮ばね６５は、先端部をスライド部材６１の前端に当接させ、また、基端部をボックス本体５１の後壁面５１ｃの内面に当接させている。第２圧縮ばね６５によって後方に付勢されたスライド部材６１は、仮止め解除ボタン６６に当接して図１５に示すホームポジションＨＰに配置されている。
【００８５】
スライド部材６１は、仮止め解除ボタン６６を押下することによって前進される。スライド部材６１は、図１６に示すように、後端の当接部６１ａの下端に、当接面６１ｈが形成されている。当接面６１ｈは、後端側が内側に位置するように傾斜している。これにより、仮止め解除ボタン６６を右方に押すと、その先端部が当接面６１ｈを押して、スライド部材６１全体を前方に移動させる。これに伴い、スライド部材６１のカム面６１ｇが爪部材６３の突起部６３ｃを外側に押し出す。これにより、軸部材６２を中心として、フック部６３ａが内側に倒れて退避する。つまり、配線ダクト５（図５参照）に対する爪部材６３の係合が解除されて仮止めが解除される。
【００８６】
プラグ７０は、図１５に示すように、電極７１、係合片７２、及び歯車部７３を有していて、蓋部材５２の透孔５２ａによって正回転・逆回転可能に支持されている。歯車部７３は、上述のボックス本体５１側の操作レバー５３の歯車部５３ｂに係合している。
【００８７】
以上説明した電源ボックス装置２は、図１５に示す状態で配線ダクト５（図５参照）に固定されている。このとき、爪部材２４は、突出位置Ｔ１に配置されて配線ダクト５に係合し、仮止め状態を構成している。また、プラグ７０は、電極７１及び係合片７２がほぼ左右方向に向いて、電気的な接続及び機械的な固定が行なわれている。さらに、操作レバー５３は、閉鎖位置Ｒ４に配置されて、仮止め解除ボタン６６を覆っている。このため、仮止め解除ボタン６６は、例えば、作業者が不用意に触れられることによる誤操作が防止される。
【００８８】
電源ボックス装置２を配線ダクト５から取り外すには、操作レバー５３をほぼ９０度逆回転（図中の時計回り）させる。これにより、プラグ７０の電極７１及び係合片７２がほぼ前後方向を向くので、プラグ７０側の取外しが可能となる。ただし、この時点でも仮止め状態は維持されている。
【００８９】
つづいて、仮止め解除ボタン６６を押下する。これに伴い、スライド部材６１が前進して、爪部材６３が退避位置に退避し、仮止め状態が解除される。これにより、電源ボックス装置２全体の取外しが可能となる。
【００９０】
なお、配線ダクト５に対する電源ボックス装置２の取付け時には、爪部材６３が、実施の形態１の爪部材２４と同様、配線ダクト５の一部に当接して退避し、一部を通過した後に突出するので、仮止め状態を作り出すことができる。
【００９１】
本発明によれば、爪部材６３の揺動動作によって、配線ダクト５に対する係合・係合解除を行うことができる。このため、爪部材６３は、円筒部６３ｂから突起部６３ｃまでの距離よりも、円筒部６３ｂからフック部６３ａまでの距離を長く設定することにより、突起部６３ｃの移動を増幅してフック部６３ａの移動とすることができる。
【００９２】
また、仮止め状態を解除するために押下する仮止め解除ボタン６６は、操作レバー５３によって覆われている。このため、操作レバー５３を逆回転させて、電気的な接続及び機械的な固定を解除した後でないと、仮止め解除を行うことができない。言い換えると、仮止め解除動作が行なえるのは、電気的な接続及び機械的な固定が解除された後である。
【００９３】
また、電気的な接続及び機械的な固定の解除と、仮止め解除とがそれぞ個別な部材（操作レバー５３、仮止め解除ボタン６６）によって、かつ個別な動作によって行われるので、不用意に、電気的な接続及び機械的な固定の解除と、仮止め解除とが一気に行われるおそれがない。
【００９４】
本実施形態においては、爪部材６３の重心（不図示）が軸部材６２よりも外側に位置するように構成すれば、爪部材６３には、自重より外側に倒そうとする力が作用する。つまり、自重が、爪部材６３を突出位置（Ｔ１）に向ける付勢力となる。この場合は、第１圧縮ばね６４を省略することができる。
【００９５】
本実施形態においては、圧縮ばね２２が、スライド部材２３を後方に付勢する付勢手段と、爪部材２４を突出方向に付勢する付勢手段とを兼ねることができる。このため、爪部材２４を直接、付勢するための付勢手段を省略して、その分、構成を簡略化することができる。
＜実施形態３＞
図１７〜図１８を参照して、本発明を適用した実施形態３に係る電源ボックス装置３について説明する。
図１７は、電源ボックス装置３のプラグ８０の左側面図である。
また、図１８は、プラグ８０が係脱する配線ダクト７の正面図である。
【００９６】
上述の実施形態１では、図６に示すように、プラグ３０の２個の電極３４のそれぞれの屈曲部３４ａが上下１段で、それぞれ左右の外側に延びる例を説明した。本実施形態では、図１７、図１８に示すように、プラグ８０から計６個の屈曲部（羽根部）８１が上下３段で、各段ごとに左右の外側に延びる例を説明する。このように、屈曲部８１が複数段にわたって設けられた場合も、本発明に含まれるものである。
【００９７】
本実施形態では、プラグ８０から計６枚の屈曲部８１が、上下３段で、各段ごとに、左側及び右側に延びて、配線ダクト７内の配線溝７ａに配設された各導電板（導電線）に接離するように配設されている。
【００９８】
すなわち、左の上段の屈曲部８１は、導電板（電極）Ｌ１（＋）に、また、左の中段の屈曲部８１は、導電板（データバス）Ｄ（−）に、そして左の下段の屈曲部８１は、導電板（ニュートラル）Ｎ１（−）に接離するように配設されている。
【００９９】
さらに、右の上段の屈曲部８１は、導電板（電極）Ｌ２（＋）に、また、右の中段の屈曲部８１は、導電板（データバス）Ｄ（＋）に、そして左の下段の屈曲部８１は、導電板（電極）Ｌ３（＋）に接離するように配設されている。
【０１００】
ここで、例えば、プラグ８０内部の接続関係を変更するダイヤル（不図示）を、電源ボックス装置３に設けるようにしてもよい。この場合、プラグ８０を図１７に示す状態にするのに先立ち、ダイヤルによって、屈曲部８１のうち、導電板（電極）Ｌ１（＋），Ｌ２（＋），Ｌ３（＋）に対応する任意の１つの屈曲部８１を選択する。これにより、ダイヤルによって選択された屈曲部８１と、導電板（ニュートラル）Ｎ１（−）とが、接触して導通される。また、この接触時に、導電板（データバス）Ｄ（＋）、Ｄ（−）が接触して導通される。
【０１０１】
一方、プラグ８０を、操作レバー８２を介してほぼ９０度回転させて、各導電板が前後方向を向くようにすることにより、これらの接触を断って、導通を断つことができる。
【０１０２】
なお、ダイヤルで導電板（電極）Ｌ１（＋），Ｌ２（＋），Ｌ３（＋）の１つに対応する屈曲部８１を選択するのに代えて、導電板（電極）Ｌ１（＋），Ｌ２（＋），Ｌ３（＋）に対応する３個の屈曲部８１の基端側を接触させることにより、どの導電板（電極）Ｌ１（＋），Ｌ２（＋），Ｌ３（＋）に通電しても、導電板（ニュートラル）Ｎ１（−）と接触できるようにすることができる。
【０１０３】
以上では、屈曲部８１が６個ある場合を例に説明したが、本発明を適用できるという点では、屈曲部８１は、４個であってもよい。この場合には、例えば、４個の屈曲部８１は、導電板（電極）Ｌ１（＋），Ｌ２（＋）、導電板（ニュートラル）Ｎ１（−），Ｎ２（−）と接離するようにする。
【０１０４】
極端に言えば、本発明は、屈曲部８１の数には関係がなく、屈曲部８１が左右方向を向いたときに通電状態となり、操作レバー８２を介してプラグ８０がほぼ９０度回転して屈曲部８１が前後方向を向いたときに通電解除状態となる電源ボックス装置に適用することができるものである。
【符号の説明】
【０１０５】
１、２、３    電源ボックス装置
５      配線ダクト
５ａ    ダクト溝
５ｃ    レール部
６      照明器具
１０、５０    電源ボックス
１１、５１    ボックス本体
１１ａ、５１ａ    開口部
１２    ハウジング
１３    レバーカバー
１４    蓋部材
２０    仮止め機構
２２、６４    圧縮ばね（ばね部材、付勢手段）
２３、６１    スライド部材
２３ｄ  カム溝（カム面）
２４、６３    爪部材
２４ａ、６３ｄ    傾斜面
２４ｂ、６３ｃ    突起部（カムフォロア）
２４ｃ  摺動面
２５    ガイド部材
３０、７０    プラグ
３１ｍ、５３    操作レバー
６１ｇ  カム面
Ａ、Ｄ    カム構造
Ｂ      退避機構
Ｃ      着脱装置
Ｐ１    ロック位置
Ｐ２    ロック解除位置
Ｒ１    第１位置（所定位置）
Ｒ２    第２位置
Ｒ３    第３位置
Ｔ１    突出位置
Ｔ２    退避位置
【図１】
0006533348.tif 000002
【図２】
0006533348.tif 000003
【図３】
0006533348.tif 000004
【図４】
0006533348.tif 000005
【図５】
0006533348.tif 000006
【図６】
0006533348.tif 000007
【図７】
0006533348.tif 000008
【図８】
0006533348.tif 000009
【図９】
0006533348.tif 000010
【図１０】
0006533348.tif 000011
【図１１】
0006533348.tif 000012
【図１２】
0006533348.tif 000013
【図１３】
0006533348.tif 000014
【図１４】
0006533348.tif 000015
【図１５】
0006533348.tif 000016
【図１６】
0006533348.tif 000017
【図１７】
0006533348.tif 000018
【図１８】
0006533348.tif 000019